(57)【要約】移動装置の位置を配布する方法を、そのための移動装置、サーバ、および遠隔端末と共に開示する。該方法は、移動装置の位置を決定するステップと、決定された位置を暗号化キーを使用して暗号化するステップと、暗号化された位置をサーバに送信するステップと、暗号化された位置をサーバ部で格納するステップと、遠隔端末からサーバに照会するステップと、照会に応答してサーバから遠隔端末に暗号化された位置を送信するステップと、予め定められた暗号化キーを移動装置と遠隔端末との間で共有するがサーバとは共有しないステップと、予め定められた暗号化キーを使用して遠隔端末で位置を解読するステップとを含む。
2006506733.tif 000002
【特許請求の範囲】
【請求項１】
移動装置の位置を配布する方法であって、
前記移動装置の位置を決定するステップと、
前記決定された位置を暗号化キーを使用して暗号化するステップと、
前記暗号化された位置をサーバに送信するステップと、
前記暗号化された位置を前記サーバ部で格納するステップと、
遠隔端末から前記サーバに照会するステップと、
前記照会に応答して前記サーバから前記遠隔端末に前記暗号化された位置を送信するステップと、
前記移動装置と前記遠隔端末との間で前記予め定められた暗号化キーを共有するが、前記サーバとは共有しないステップと、
前記遠隔端末で前記予め定められた暗号化キーを使用して前記位置を解読するステップと、
を含む方法。
【請求項２】
その位置を決定し、暗号化キーを使用してその位置を暗号化し、前記暗号化された位置をサーバに送信し、前記予め定められた暗号化キーを遠隔端末と共有するが、前記サーバとは共有しないように構成された移動装置。
【請求項３】
暗号化キーで暗号化された、移動装置に対応する暗号化位置を受信して格納し、遠隔端末からの照会に応答して、前記遠隔端末に前記暗号化位置を送信するように構成されたサーバであって、前記サーバによる前記暗号化位置の受信と送信との間に、前記サーバが前記暗号化キーを所有しないように構成されたサーバ。
【請求項４】
サーバとは無関係に暗号化キーを共有している特定の移動装置の位置を遠隔サーバに照会するように構成された端末であって、前記暗号化キーで暗号化された位置を受信すると直ぐに前記位置を解読する端末。
【発明の詳細な説明】
【技術分野】
【０００１】
本発明は、移動装置の位置を配布する方法と共に、そのための移動装置、サーバ、および端末に関する。
【背景技術】
【０００２】
米国特許出願公開第２００１／００４４３０９号明細書は、「現行セルラユーザの動的データベースを維持するＨＴＴＰサーバ・マシンを使用して、セルラ電話ユーザの実時間位置情報を様々な第三者情報加入者に配布する」ための「インターネット配布実時間ワイヤレス位置データベース」を開示している。データベースは発呼者エントリのリストを有し、各エントリは一般的に、電話番号、モバイルＩＤ番号、および／または送受話器シリアルＩＤのようなユーザＩＤ番号を含む。エントリはまた、各ユーザＩＤ番号に対し、緯度および経度のようなユーザ位置識別子、セクタ番号、発呼者または被呼者電話番号、および／または所在地住所を含む。ＨＴＴＰサーバは、登録第三者情報契約者が、認証を確実にしかつセキュリティのために暗号化を提供する標準ＨＴＴＰプロトコルによって、データベースにアクセスすることができるように、インターネットに接続される。発呼者ＩＤ、または発呼者の電話番号を得るための他の手段を使用して、第三者契約者は、簡単なインターネット照会を介して、ＨＴＭＬ形式を使用してＨＴＴＰサーバに電話番号を提出することによって発呼者の現在位置を得ることができる。中央サーバ・マシン上のソフトウェアは契約者の正当性を検証し、データベースで位置情報を探索し、情報を契約者に返す。次いで契約者は位置情報を使用して、発呼者に広範囲のサービスのいずれかを提供するか、あるいは発呼者の位置へ緊急車両を派遣することができる。加えて、サーバは、位置に基づく多くのサービスを発呼者に直接提供することができる。
【発明の開示】
【発明が解決しようとする課題】
【０００３】
本発明の目的は、移動装置のユーザのプライバシを保護する、移動装置の位置の配布方法を提供することである。
【課題を解決するための手段】
【０００４】
本発明では、そのような方法は、移動装置の位置を決定するステップと、決定された位置を暗号化キーを使用して暗号化するステップと、暗号化された位置をサーバに送信するステップと、暗号化された位置をサーバ部で格納するステップと、遠隔端末からサーバに照会するステップと、照会に応答してサーバから遠隔端末に暗号化された位置を送信するステップと、移動装置と遠隔端末との間で暗号化キーを共有するがサーバとは共有しないステップと、遠隔端末で暗号化キーを使用して位置を解読するステップとを含む。
【０００５】
そのような方法は、サーバおよび／またはサーバを運営する事業体が位置情報を解読して移動装置のユーザの移動を決定することができないような仕方で、サーバが位置情報のそのような配布をサポートすることを可能にする。
【０００６】
本発明では、請求項２乃至４に記載するように、対応する移動装置、サーバ、および端末も提供する。  
今、本発明について、単なる例として添付の略図を参照しながら説明する。
【発明を実施するための最良の形態】
【０００７】
図１は、それぞれのユーザ（図示せず）が所有し、最寄のセルラ電話網基地局ＢＳに登録され、基地局および対応するセルラ電話網のシステム・コントローラ（ＳＣ）を介して音声およびデータ通信を容易にする、同一移動セルラ電話機ＭＳ１およびＭＳ２を示す。データ通信は、（例えばショート・メッセージ・サービス（ＳＭＳ）プロトコルを使用して）テキスト・メッセージを送信することや、（例えばＷＡＰまたはｉモード・プロトコルを使用して）インターネットにアクセスすることを含むものとする。特に、移動電話機ＭＳ１およびＭＳ２は、本発明に係る仕方で、それらのそれぞれの基地局および公衆交換電話網ＰＳＴＮを介して、遠隔インターネット利用情報サーバＩＳと通信している。
【０００８】
図２では、電話機ＭＳ１およびＭＳ２がより詳細に示されており、電話機はそれぞれ、その電話機が登録された基地局ＢＳと通信するために通信アンテナ２１に接続されかつ通信マイクロプロセッサ（μｐ）２２によって制御される通信送信機（Ｔｘ）および受信機（Ｒｘ）２０を備えている。電話機ＭＳ１およびＭＳ２はそれぞれ、ＧＰＳアンテナ２４に接続されたＧＰＳ受信機（ＧＰＳ  Ｒｘ）２３をさらに備えている。また、通信マイクロプロセッサ（μｐ）２２はさらに、従来のナビゲーション・アルゴリズムを使用して移動電話機の位置を決定することができる擬似距離情報を導出する目的で、ＧＰＳ信号を取得しかつ追跡するように構成される。ＧＰＳ信号の取得および追跡ならびに位置決定のためのそのような方法は、例えば「GPS Principles and Applications」（編集者Kaplan）ISBN 0-89006-793-7、Artech Houseから周知である。また、電話機ＭＳ１およびＭＳ２の型の電話機の設計および製造も周知であり、本発明に直接関係しない部分については、ここではこれ以上詳述しない。
【０００９】
図３は、遠隔インターネット利用情報サーバＩＳをより詳細に示す。図示するように、サーバは信号を受信してインターネットに送達するように構成され、移動電話機ＭＳ１およびＭＳ２からの情報および照会を受信するために送信機（Ｔｘ）および受信機（Ｒｘ）３０を含む。特に、サーバはマイクロプロセッサ（μｐ）３１の制御下でデータベース３２をサポートし、データベースのレコードは、マイクロプロセッサによってデータベースに供給される移動電話機ＭＳ１およびＭＳ２の位置に関する情報を含む。
【００１０】
次の状況例で示すように、本発明に従ってサーバに照会することができる。  
電話機ＭＳ１を所有するユーザが電話機ＭＳ２のユーザである友人からテキスト・メッセージを受信し、ユーザはその友人と会うつもりであり、そのテキスト・メッセージには暗号化キーが添付されていると仮定する。
【００１１】
さらに、電話機ＭＳ２の位置に関するレコードが、情報サーバＩＳに保持されたデータベースに維持され、そのレコードが電話機ＭＳ２の番号と、電話機ＭＳ２部で事前に決定され暗号化され、データベースにアップロードされた、電話機ＭＳ２の暗号化された位置とを含むと仮定する。
【００１２】
電話機ＭＳ１のユーザは、基地局ＢＳ１、セルラ網システム・コントローラ（ＳＣ）、および公衆交換電話網ＰＳＴＮを介して、電話機ＭＳ１からデータを送受信することによって、従来の仕方で移動セルラ電話機を使用してインターネットに接続する。次いでユーザは、インターネットを介して情報サーバ（ＩＳ）にアクセスし、電話機ＭＳ２の電話番号を情報サーバに送信することによって情報サーバに保持されているデータベースに照会する。情報サーバ（ＩＳ）は、暗号化された位置を送信して応答する。
【００１３】
暗号化された位置を受信すると直ぐに、電話機ＭＳ１は、電話機ＭＳ２によって送信されたテキスト・メッセージに事前に添付されていた暗号化キーを使用して、電話機ＭＳ２の暗号化された位置を解読する。次いで電話機ＭＳ１は、マッピング・ウェブサイトのＵＲＬを生成し、そのＵＲＬに接続して、電話機ＭＳ２が所在確認された位置のマップを電話機ＭＳ１のユーザに対して表示する。こうして、電話機ＭＳ１のユーザは電話機ＭＳ２の位置を決定することができ、第三者がそれを実行することはできない。
【００１４】
本書を書いている時点で、マッピング・ウェブサイトhttp://www.multimap.co.ukでは、選択されると予め定められた領域の地図にユーザを導くＵＲＬを生成することができる。同様に、同ウェブサイトは１つの位置から別の位置への道順も提供し、したがってこの機能のためのメカニズムについてはここでは詳述しない。
【００１５】
上記のＧＰＳ受信機の代替物として、Ｅ−ＯＴＤのような電話網測位や、ＧＬＯＮＡＳＳおよびＧＡＬＩＬＥＯのような他のＧＰＳ型解決策をはじめ、他の形の測位技術を使用することができる。
【００１６】
本開示を読むことから、他の修正が当業者には明らかになるであろう。そのような修正は、コンピュータ・システムおよびその構成部品の設計および使用においてすでに公知の他の特徴や、本明細書ですでに記載した特徴の代わりにまたはそれに加えて使用することのできる他の特徴を含むことができる。特許請求の範囲は本願では特徴の特定の組合せに編成されているが、本願の開示の範囲は、本明細書に明示的または暗黙に開示された任意の新規な特徴または特徴の任意の新規な組合せを、または当業者には自明の１つまたは複数のそれら特徴の一般化をも、それがいずれかの請求項で現在請求する発明に関連するか否かに関わらず、またそれが本発明がするように同じ技術的問題のいずれかまたは全てを軽減するか否かに関わらず、含むものであることを理解されたい。出願人はここに、本願またはそこから導かれるさらなる出願の経過中に、新しい請求項がそのような特徴および／またはそのような特徴の組合せに編成されるかもしれないことを通告する。
【図面の簡単な説明】
【００１７】
【図１】本発明に従って、それぞれの最寄のセルラ電話網基地局ＢＳおよび公衆交換電話網（ＰＳＴＮ）を介して遠隔インターネット利用情報サーバ（ＩＳ）と通信する、同一の移動セルラ電話機ＭＳ１およびＭＳ２を示す略図である。
【図２】図１の移動セルラ電話機ＭＳ１およびＭＳ２をより詳細に示す略図である。
【図３】図１の遠隔インターネット利用情報サーバ（ＩＳ）をより詳細に示す略図である。
【図１】
2006506733.tif 000003
【図２】
2006506733.tif 000004
【図３】
2006506733.tif 000005
【国際調査報告】
2006506733.tif 000006
2006506733.tif 000007
2006506733.tif 000008